(57)【特許請求の範囲】
【請求項１】
一枚のブランクを組み立てて形成され、内容物を取り出すための開口のある天面パネルを有する包装用箱であって、天面パネルには側面との境界を相対する２辺とする矩形状の開口が設けられており、その開口から飛び出すように観音開きする一対の可動片が区画された天面内側パネルが設けられ、各可動片における両側辺にはそれぞれ円弧状先端部分に波形が形成されてなる扇形状のギアパネルが一方の側辺で連設され、それらのギアパネルは可動片に対して折り曲げられた状態で、底面パネルに連設する側面内側パネルと天面パネルに連設する側面外側パネルの間に内蔵され、一方の可動片に連設するギアパネルにおける円弧状先端部分の波形が他方の可動片に連設するギアパネルにおける円弧状先端部分の波形に噛み合っており、この噛み合いにより他方の可動片は一方の可動片を開閉する動作に連動して開閉するように構成されていることを特徴とする包装用箱。
【請求項２】
一方の可動片には開封用のつまみ部分が設けられていることを特徴とする請求項１に記載の包装用箱。
【発明の詳細な説明】
【技術分野】
【０００１】
本発明は、包装用箱の技術分野に属し、詳しくは、菓子類を始めとして、化粧用具を始めとする各種の生活用品等を収納して販売する際に好適に用いられる包装用箱に関するものである。
【背景技術】
【０００２】
一般に、チョコレート、ビスケット、キャンディ等の菓子類、コットン、パフ等の化粧用具類を収納して販売するための包装用箱として、種々のタイプの板紙製の箱が利用されている。このような包装用箱の一つに、天面パネルが観音開きするタイプの箱が知られており、このタイプの箱は天面が回るようにして左右に開くことから、開封時の面白味や意外性がある点が評価され、必要に応じて各種用途の包装に採用されている。
【０００３】
【特許文献１】実開昭６０−１３３１９号公報
【特許文献２】実開平５−６５８２６号公報
【特許文献３】特開２００２−２８４１５０号公報
【発明の開示】
【発明が解決しようとする課題】
【０００４】
従来の観音開きタイプの包装用箱は、上記したように、天面が左右に分かれて開く点で通常の箱とは違って面白味があり消費者の興味を引くものである。しかしながら、開閉する可動片は片方ずつ開ける必要があるし、また可動片は開いたままの状態にはならないので、内容物の取出しを片手で行えないという問題もある。
【０００５】
本発明は、このような問題点に鑑みてなされたものであり、その目的とするところは、観音開きタイプでありながら、片手で簡単に開けることができ、しかも開いたままの状態を維持できる包装用箱を提供することにある。
【課題を解決するための手段】
【０００６】
上記の目的を達成するため、本発明の包装用箱は、一枚のブランクを組み立てて形成され、内容物を取り出すための開口のある天面パネルを有する包装用箱であって、天面パネルには側面との境界を相対する２辺とする矩形状の開口が設けられており、その開口から飛び出すように観音開きする一対の可動片が区画された天面内側パネルが設けられ、各可動片における両側辺にはそれぞれ円弧状先端部分に波形が形成されてなる扇形状のギアパネルが一方の側辺で連設され、それらのギアパネルは可動片に対して折り曲げられた状態で、底面パネルに連設する側面内側パネルと天面パネルに連設する側面外側パネルの間に内蔵され、一方の可動片に連設するギアパネルにおける円弧状先端部分の波形が他方の可動片に連設するギアパネルにおける円弧状先端部分の波形に噛み合っており、この噛み合いにより他方の可動片は一方の可動片を開閉する動作に連動して開閉するように構成されていることを特徴としている。
【発明の効果】
【０００７】
本発明の包装用箱は、観音開きする一対の可動片が天面パネルの開口にあるので、そのうち一方の可動片を開閉することにより、それに連動して他方の可動片も同時に開閉することから、一対の可動片をその一方を片手で開くだけで簡単に両方を開くことができ、閉じる場合も、いずれかの可動片を押すとそれに連動してもう一方の可動片も同時に閉じる方向に動くことから、片手だけで両方を簡単に閉じることができる。また、開いたままの状態を維持することができるし、開閉操作を途中で止めて一対の可動片を任意の位置で止めることもできる。
【発明を実施するための最良の形態】
【０００８】
次に、本発明の実施形態について図面を参照しながら詳細に説明する。
【０００９】
図１は本発明に係る包装用箱の一例を示す斜視図、図２は図１に示す包装用箱を組み立てるブランクの展開図である。
【００１０】
図２のブランクは、Ｅ段の両面段ボールを打ち抜いて形成された一枚もので、図示のように、長方形状をした底面パネル１の前後に前面パネル２と後面パネル３がそれぞれ折線を介して連設されており、前面パネル２には左右全幅にわたる矩形状の開口４ａが形成された天面パネル４が折線を介して連設されており、後面パネル３には観音開きする一対の可動片５ａ，５ｂが区画された天面内側パネル５が折線を介して連設されている。ここで、前面パネル２と後面パネル３の幅は底面パネル１よりも僅かに小さく、天面内側パネル５の幅は底面パネル１よりも僅かに大きく、また天面パネル４の幅は天面内側パネル４よりも僅かに大きくなっている。
【００１１】
また、底面パネル１にはその左右に側面内側パネル６，７が折線を介して連設され、天面パネル４にはその左右に側面外側パネル８，９が折線を介して連設され、天面内側パネル５にはその左右に側面中間パネル１０，１１が連設されており、前面パネル２の左右にはフラップパネル１２，１３が連設され、後面パネル３の左右にはフラップパネル１４，１５が連設されている。そして、底面パネル１と側面内側パネル６，７との境界にはそれぞれ中程に所定長さのスリットα，βが形成されており、これに対応して側面外側パネル８，９の先端縁にはそれぞれスリットα，βに差込み可能な舌片８ａ，９ａが突設されている。
【００１２】
天面内側パネル５に区画された可動片５ａ，５ｂは、組立て時に天面パネル４の開口４ａから露出するようになっており、それぞれが折線ａ，ｂをヒンジとして回動することで観音開きできるようになっている。これらの折線ａ，ｂは、押罫の途中数カ所に切込を設けた所謂リード罫で構成され、折り曲げやすくなっている。また、境界部に形成した半円状の切込によって、一方の可動片５ａにつまみ部分５ｃが突出形成されている。
【００１３】
片方の側面中間パネル１０には、一対の可動片５ａ，５ｂにおける一方の側辺に連設する扇形状のギアパネル１０ａ，１０ｂが打抜き形成され、もう一方の側面中間パネル１１には、一対の可動片５ａ，５ｂにおける他方の側辺に連設する扇形状のギアパネル１１ａ，１１ｂが打抜き形成されている。すなわち、一方の可動片５ａにおける両側辺にはそれぞれギアパネル１０ａ，１１ａが一方の側辺で折線を介して連設され、他方の可動片５ｂにおける両側辺にはそれぞれギアパネル１０ｂ，１１ｂが一方の側辺で折線を介して連設されている。そして、片方の側面中間パネル１０におけるギアパネル１０ａ，１０ｂの円弧状先端部分にはそれぞれ波形が形成されており、これらの波形はギアパネル１０ａ，１０ｂが折線ａ，ｂの先端を中心に回動したときに互いに噛み合うようになっており、同様に、もう一方の側面中間パネル１０におけるギアパネル１０ａ，１０ｂの円弧状先端部分にはそれぞれ波形が形成されており、これらの波形はギアパネル１０ａ，１０ｂが折線ａ，ｂの先端を中心に回動したときに互いに噛み合うようになっている。
【００１４】
上記のブランクを組み立てるには、まずサック貼り状態とする。具体的には、図３に示すように、天面内側パネル５を後面パネル３に対して折り返した状態とし、天面内側パネル５の表側における図示の位置に糊Ｇを塗布した後、図４に示すように、底面パネル１に対して前面パネル２と天面パネル４を一緒に折り返して、天面パネル４を天面内側パネル５に貼り合わせる。
【００１５】
そして、充填工程において、このサック貼りしたブランクを角筒状に起こし、胴部の一方を閉じて内容物を投入してから他方を閉じることで、図１に示す全体が直方体形状の包装用箱を組み立てる。その閉じる順序は両方とも同じであり、図４の左側で説明すると次のようである。まずフラップパネル１２，１４を折り込み、その上から側面内側パネル６を折り曲げる。次いで、側面中間パネル１０とともに側面外側パネル８を折り曲げ、その先端の舌片８ａをスリットαに差し込んで固定する。右側も同様に、まずフラップパネル１３，１５を折り込み、その上から側面内側パネル７を折り曲げてから、側面中間パネル１１とともに側面外側パネル９を折り曲げ、その先端の舌片９ａをスリットβに差し込んで固定する。
【００１６】
このように組み立てられた包装用箱の外観は、天面パネル４には側面との境界を相対する２辺とする矩形状の開口４ａが設けられ、その開口４ａから飛び出すように観音開きする一対の可動片５ａ，５ｂが設けられ、一方の可動片５ａにはその先端に開封用のつまみ部分５ｃが設けられたものとなる。そして、可動片５ａの両側辺に連設するギアパネル１０ａ，１１ａと他方の可動片５ｂの両側辺に連設するギアパネル１１ａ，１１ｂは側面に内蔵された状態となる。
【００１７】
図１の包装用箱を開封するには、つまみ部分５ｃを指先で把持して一方の可動片５ａを折線ａのところをヒンジとして回動させる。すると、一方の可動片５ａの両側辺にそれぞれ連設したギアパネル１０ａ，１１ａにおける円弧状先端部分の波形が、他方の可動片５ｂにそれぞれ連設したギアパネル１０ｂ，１１ｂにおける円弧状先端部分の波形に噛み合っており、この噛み合いにより他方の可動片５ｂは一方の可動片５ａを開閉する動作に連動し、折線ｂのところをヒンジとして回動する。したがって、一対の可動片５ａ，５ｂの一方を開くだけでワンタッチで観音開きすることができる。また、閉じる場合も、いずれかの可動片を押すとそれに連動してもう一方の可動片も同時に閉じる方向に動くので、簡単に閉じることができる。また、ギアパネル同士がその円弧状先端部分の波形で噛み合っており、可動片に対して人的な力が掛からない限りは自然に戻ったり開いたりすることがないので、図５に示す開いたままの状態を維持することができるし、開閉操作を途中で止めて一対の可動片を任意の位置で止めることもできる。
【００１８】
以上、本発明の実施の形態について詳細に説明してきたが、本発明による包装用箱は、上記実施の形態に何ら限定されるものではなく、本発明の趣旨を逸脱しない範囲において種々の変更が可能であることは当然のことである。
【００１９】
例えば、上記の実施形態では、Ｅ段の両面段ボールを用いて包装用箱を形成したが、その他の段ボールを用いてもよいし、プラスチック段ボールを用いてもよい。或いは、厚手の板紙を用いることも可能である。要は、ギアパネル同士がその円弧状先端部分の波形で噛み合うだけの厚みがあればよい。
【図面の簡単な説明】
【００２１】
【図１】本発明に係る包装用箱の一例を示す斜視図である。
【図２】図１に示す包装用箱を組み立てるブランクの展開図である。
【図３】図２のブランクをサック貼りする途中の状態で示す平面図である。
【図４】図２のブランクをサック貼りした状態で示す平面図である。
【図５】図１に示す包装用箱を開封した状態で示す斜視図である。
【符号の説明】
【００２２】
１  底面パネル
２  前面パネル
３  後面パネル
４  天面パネル
４ａ  開口
５  天面内側パネル
５ａ，５ｂ  可動片
５ｃ  つまみ部分
６，７  側面内側パネル
８，９  側面外側パネル
８ａ，９ａ  舌片
１０，１１  側面中間パネル
１０ａ，１０ｂ，１１ａ，１１ｂ  ギアパネル
１２，１３，１４，１５  フラップパネル
α，β  スリット
【図１】
0005294140.tif 000002
【図２】
0005294140.tif 000003
【図３】
0005294140.tif 000004
【図４】
0005294140.tif 000005
【図５】
0005294140.tif 000006